(57)【要約】  複数枚の光ファイバテープ心線を有する光ユニットと、光ユニットが収納されたスロット溝を複数有するスロットロッドと、スロットロッドの外側を覆うケーブル外被と、を備えた光ファイバケーブルであって、光ファイバテープ心線は、複数の光ファイバ心線が並列に配置された状態で、一部、または全ての光ファイバ心線間において、隣接する光ファイバ心線間が連結された連結部と、隣接する光ファイバ心線間が連結されていない非連結部とが長手方向に間欠的に設けられており、外径が３５ｍｍ以下で、１つのスロット溝に収納された光ユニットにおける光ファイバ心線の心数が１００以上である。
2017131118.tif 000002
【特許請求の範囲】
【請求項１】
複数枚の光ファイバテープ心線を有する光ユニットと、
前記光ユニットが収納されたスロット溝を複数有するスロットロッドと、
前記スロットロッドの外側を覆うケーブル外被と、を備えた光ファイバケーブルであって、
前記光ファイバテープ心線は、複数の光ファイバ心線が並列に配置された状態で、一部、または全ての前記光ファイバ心線間において、隣接する光ファイバ心線間が連結された連結部と、隣接する光ファイバ心線間が連結されていない非連結部とが長手方向に間欠的に設けられており、
外径が３５ｍｍ以下で、１つの前記スロット溝に収納された前記光ユニットにおける前記光ファイバ心線の心数が１００以上である、光ファイバケーブル。
【請求項２】
前記光ファイバケーブルに含まれる前記光ファイバ心線の心数の密度は、前記光ファイバケーブルの断面において、２．４心／ｍｍ２以上である、請求項１に記載の光ファイバケーブル。
【請求項３】
前記光ユニットは、前記光ファイバテープ心線が撚られた状態のサブユニットを複数有する、請求項１または請求項２に記載の光ファイバケーブル。
【請求項４】
前記サブユニットにはバンドル材が巻かれている、請求項３に記載の光ファイバケーブル。
【発明の詳細な説明】
【技術分野】
【０００１】
本発明は、光ファイバケーブルに関する。
本出願は、２０１６年１月２８日出願の日本出願特願２０１６−０１４４８０号に基づく優先権を主張し、前記日本出願に記載された全ての記載内容を援用するものである。
【背景技術】
【０００２】
特許文献１には、複数本の光ファイバ心線が並列に配置された複数枚の光ファイバテープ心線と、該光ファイバテープ心線を１又は複数枚収容するためのＳＺ状に形成された複数条のスロット溝を有するスロットロッドと、該スロットロッドの周囲に巻き付けられた上巻テープと、該上巻テープで覆ったスロットロッドの外側を被覆する外被と、を備えた光ファイバケーブルが記載されている。特許文献２には、スロットロッドが無いスロットレス型の光ファイバケーブルが記載されている。
【先行技術文献】
【特許文献】
【０００３】
【特許文献１】日本国特開２０１４−２１１５１１号公報
【特許文献２】日本国特開２０１０−８９２３号公報
【発明の概要】
【０００４】
本開示の一態様に係る光ファイバケーブルは、複数枚の光ファイバテープ心線を有する光ユニットと、
前記光ユニットが収納されたスロット溝を複数有するスロットロッドと、
前記スロットロッドの外側を覆うケーブル外被と、を備えた光ファイバケーブルであって、
前記光ファイバテープ心線は、複数の光ファイバ心線が並列に配置された状態で、一部、または全ての前記光ファイバ心線間において、隣接する光ファイバ心線間が連結された連結部と、隣接する光ファイバ心線間が連結されていない非連結部とが長手方向に間欠的に設けられており、
外径が３５ｍｍ以下で、１つの前記スロット溝に収納された前記光ユニットにおける前記光ファイバ心線の心数が１００以上である。
【図面の簡単な説明】
【０００５】
【図１】本開示の一態様に係る光ファイバケーブルの一例を示す断面図である。
【図２】１２心の間欠連結型光ファイバテープ心線の平面図である。
【図３】本開示の一態様に係る光ファイバケーブルの光ユニットにおけるサブユニットの模式図である。
【図４】従来のスロット型光ファイバケーブルの一例を示す断面図である。
【発明を実施するための形態】
【０００６】
［本開示が解決しようとする課題］
スロットレス型の光ファイバケーブルは、スロットロッドが無い分、スロット型の光ファイバケーブルに対して、収容する光ファイバ心線の密度を高くすることができる。しかし、光ファイバ心線が多心になる程、光ファイバケーブルの中間分岐時などで光ファイバテープ心線を取り出す際に、該光ファイバテープ心線を識別する識別性に問題がある。
これに対して、スロット型の光ファイバケーブルは、スロット溝毎に光ファイバテープ心線を取り出すことができるため、光ファイバテープ心線の識別性は良いが、スロットロッドを形成する部材がケーブル内の空間を占めているため、高密度化が難しい。
【０００７】
そこで、本開示の目的は、スロット型の多心の光ファイバケーブルにおいて、光ファイバ心線を高密度実装することができる光ファイバケーブルを提供することにある。
【０００８】
［本開示の効果］
本開示によれば、スロット型の多心の光ファイバケーブルにおいて、光ファイバ心線を高密度実装することができる。
【０００９】
［本発明の実施形態の説明］
最初に本発明の実施形態を列記して説明する。
本発明の実施形態に係る光ファイバケーブルは、
（１）  複数枚の光ファイバテープ心線を有する光ユニットと、
前記光ユニットが収納されたスロット溝を複数有するスロットロッドと、
前記スロットロッドの外側を覆うケーブル外被と、を備えた光ファイバケーブルであって、
前記光ファイバテープ心線は、複数の光ファイバ心線が並列に配置された状態で、一部、または全ての前記光ファイバ心線間において、隣接する光ファイバ心線間が連結された連結部と、隣接する光ファイバ心線間が連結されていない非連結部とが長手方向に間欠的に設けられており、
外径が３５ｍｍ以下で、１つの前記スロット溝に収納された前記光ユニットにおける前記光ファイバ心線の心数が１００以上である。
【００１０】
上記（１）の光ファイバケーブルは、光ファイバテープ心線が連結部と非連結部とが間欠的に設けられた間欠連結型であるので、光ファイバケーブルが曲げられた際に、光ファイバテープ心線に発生する歪を緩和することができ、伝送特性の悪化を防ぐことができる。このような間欠連結型の光ファイバテープ心線を複数枚まとめて光ユニットとしているので、伝送特性を悪化させずに、高密度化させることができ、外径が３５ｍｍ以下であっても、１つのスロット溝に収納された光ユニットにおける光ファイバ心線の心数を１００以上とすることができる。したがって、光ファイバテープ心線の識別性が良いスロット型の多心の光ファイバケーブルにおいて、光ファイバ心線を高密度実装することができる。
【００１１】
（２）  前記光ファイバケーブルに含まれる前記光ファイバ心線の心数の密度は、前記光ファイバケーブルの断面において、２．４心／ｍｍ２以上である。
間欠連結型の光ファイバテープ心線を用いることにより、光ファイバケーブルに含まれる光ファイバ心線の心数の密度を、光ファイバケーブルの断面において、２．４心／ｍｍ２以上にすることができ、スロット型の光ファイバケーブルであっても、多数の光ファイバ心線を高密度で実装することができる。
【００１２】
（３）  前記光ユニットは、前記光ファイバテープ心線が撚られた状態のサブユニットを複数有する。
光ファイバテープ心線は、サブユニット毎に撚られた状態で収納されているので、光ファイバテープ心線を取り出す際の識別性がよくなる。
【００１３】
（４）  前記サブユニットにはバンドル材が巻かれている。
サブユニットには識別用のバンドル材が巻かれているので、サブユニットの識別が容易にできる。
【００１４】
［本発明の実施形態の詳細］
本発明の実施形態に係る光ファイバケーブルの具体例を、以下に図面を参照しつつ説明する。
なお、本発明はこれらの例示に限定されるものではなく、請求の範囲によって示され、請求の範囲と均等の意味および範囲内でのすべての変更が含まれることが意図される。
【００１５】
図１は、本実施形態に係る光ファイバケーブルの一例を示す断面図である。図２は、１２心の間欠連結型光ファイバテープ心線の平面図である。図３は、本実施形態に係る光ファイバケーブルの光ユニットにおけるサブユニットの模式図である。
【００１６】
図１に示すように、光ファイバケーブル１は、光ユニット２（サブユニット７の集合体）と、光ユニット２が収納されたスロット溝３を複数有するスロットロッド４と、スロットロッド４の外側を覆うケーブル外被５と、を備えている。
【００１７】
スロットロッド４は、テンションメンバ６を中央部に備えており、外面側に一方向撚り、或いはＳＺ撚りで放射状に配された複数のスロット溝３（図１の例では６条）が設けられた構造となっている。
【００１８】
光ユニット２は、複数枚の光ファイバテープ心線１０を有している。
光ファイバテープ心線１０は、図２に示すように、複数（図２の例では、１２本）の光ファイバ心線１１Ａ〜１１Ｌが並列に配置されている。この光ファイバ心線１１Ａ〜１１Ｌは、単心の被覆光ファイバである。なお、光ファイバ心線１１Ａ〜１１Ｌは、光ファイバ心線同士を識別できるように、それぞれ異なる色に被覆が着色されていてもよい。
【００１９】
光ファイバテープ心線１０は、間欠連結型の光ファイバテープ心線であり、複数の光ファイバ心線が並列に配置された状態で、隣接する光ファイバ心線間が連結された連結部１２と、隣接する光ファイバ心線間が連結されていない非連結部１３とが長手方向に間欠的に設けられている。このように、連結部１２と非連結部１３とが間欠的に設けられている箇所は、図２に示すように一部の光ファイバ心線間であってもよく、または、全ての光ファイバ心線間であってもよい。図２に示す例では、光ファイバ心線１１Ａと１１Ｂ、１１Ｃと１１Ｄ、１１Ｅと１１Ｆ、１１Ｇと１１Ｈ、１１Ｉと１１Ｊ、１１Ｋと１１Ｌ、の各線間には非連結部１３が設けられていない。
【００２０】
光ファイバテープ心線１０は、例えば、紫外線硬化型樹脂、熱硬化型樹脂等の連結樹脂を、間欠的に光ファイバ心線間に塗布することで連結部１２と非連結部１３とを間欠的に形成するようにして作製してもよい。なお、上記連結樹脂は、光ファイバ心線の単心分離の作業を容易にするため、剥離性の良い樹脂としてもよい。
或いは、複数の光ファイバ心線１１Ａ〜１１Ｌに連結樹脂を塗布して、全ての光ファイバ心線を連結させてから、回転刃等で一部を切断して非連結部１３を作ることで、間欠連結型の光ファイバテープ心線１０を作製してもよい。
【００２１】
そして、本実施形態に係る光ファイバケーブル１は、外径が３５ｍｍ以下であって、１つのスロット溝３に収納された光ユニット２における光ファイバ心線の心数が１００以上である。
【００２２】
以上の本実施形態に係る光ファイバケーブル１では、光ファイバテープ心線１０は、隣接する光ファイバ心線間が連結された連結部１２と、隣接する光ファイバ心線間が連結されていない非連結部１３とが長手方向に間欠的に設けられている間欠連結型である。これにより、光ファイバケーブル１が曲げられた際に、光ファイバテープ心線１０に発生する歪を緩和することができ、伝送特性の悪化を防ぐことができる。このような間欠連結型の光ファイバテープ心線１０を複数枚まとめて光ユニット２とすることで、伝送特性を悪化させずに、外径が３５ｍｍ以下であっても、１つのスロット溝３に収納された光ユニット２における光ファイバ心線の心数を１００以上とすることができる。したがって、光ファイバテープ心線１０の識別性が良いスロット型の多心の光ファイバケーブルにおいて、光ファイバ心線を高密度実装することができる。なお、本実施形態に係る光ファイバケーブル１は、特に、１０００心以上の多心ケーブルに好適である。
【００２３】
また、後述の実施例に示すように、光ファイバケーブル１に含まれる光ファイバ心線の心数の密度は、光ファイバケーブル１の断面において、２．４心／ｍｍ２以上であることが好ましい。間欠連結型の光ファイバテープ心線を用いることにより、光ファイバ心線の心数の密度を２．４心／ｍｍ２以上にすることができ、スロット型の光ファイバケーブルであっても、多数の光ファイバ心線を高密度で実装することができる。
【００２４】
また、光ユニット２は、光ファイバテープ心線１０が撚られた状態のサブユニット７（図３参照）を複数設けるようにしてもよい。図１の例では、サブユニット７は、光ファイバテープ心線１０を６枚撚り合わせた状態で設けられている。このように、光ファイバテープ心線１０は、サブユニット７毎に撚られた状態で収納されているので、光ファイバテープ心線１０を取り出す際の識別性がよくなる。
【００２５】
また、サブユニット７には、バンドル材８が巻かれていてもよい。サブユニット７にバンドル材８が巻かれていることにより、サブユニット７の識別が容易にできる。なお、バンドル材８の色を変えることにより、より識別性を上げることも可能である。
【００２６】
［実施例］
次に、本実施形態の光ファイバケーブルについて、具体的な実施例を挙げて以下説明する。
本発明の光ファイバケーブルに好適な１０００心以上の多心ケーブルの実施例１、２として、図１で示した構造に基づく光ファイバケーブルを試作した。また、比較例として、図４に示す構造のスロット型光ファイバケーブルを試作した。なお、図４は、従来のスロット型光ファイバケーブルの一例を示す断面図である。
【００２７】
（実施例１）
図２で示した１２心の間欠連結型の光ファイバテープ心線１０を６枚用いて、撚り合わせ設備を用いて撚りピッチ５００ｍｍで撚り合わせて、７２心のサブユニット７を形成した。そして、集合機を用いて、図１で示したスロット型の光ファイバケーブル１の６つのスロット溝３に、上記のようにして形成したサブユニット７を４本ずつ収納することで、１７２８心の光ファイバケーブルを作製した。なお、光ファイバテープ心線１０の撚り合わせとスロット溝３への収納は同一工程で行ってもよい。また、スロット溝３の撚り方向は一方向撚りでもよいし、ＳＺ撚りでもよい。
【００２８】
（実施例２）
実施例２は、各スロット溝３にサブユニット７を８本ずつ収納すること以外は、実施例１と同様にして、３４５６心の光ファイバケーブルを作製した。
【００２９】
（比較例）
従来のスロット型光ファイバケーブルにおける最多心ケーブルである、図４に示す１０００心の一方向撚り（ＨＬ撚り）テープスロット型の光ファイバケーブル１０１を比較例とした。光ファイバケーブル１０１は、光ファイバ心線８本が並列して連結された（間欠連結型ではない）８心の光ファイバテープ心線１０２を全部で１２５枚用いている。光ファイバケーブル１０１は、光ファイバテープ心線１０２が複数枚（１０枚または５枚）収納されたスロット溝１０３を１３条有するスロットロッド１０４を備える。さらに、スロットロッド１０４の外側を覆うケーブル外被１０５と、中央部に設けられたテンションメンバ１０６とを備えている。光ファイバケーブル１０１では、１つのスロット溝１０３に収納された光ファイバ心線の心数は８０以下である。
【００３０】
比較例の光ファイバケーブル１０１の外径は２３．５ｍｍ、ケーブル断面における単位面積当たりの光ファイバ心線の心密度（心数／ケーブル断面積）は２．３心／ｍｍ２である。
これに対して、実施例１の１７２８心の光ファイバケーブルにおける単位面積当たりの光ファイバ心線の心密度は、３．３心／ｍｍ２である。また、実施例２の３４５６心の光ファイバケーブルにおける単位面積当たりの光ファイバ心線の心密度は、３．８心／ｍｍ２である。
上記のように、実施例１、２の光ファイバケーブル１では、従来の光ファイバケーブル１０１（比較例）に対して、単位面積当たりの光ファイバ心線の心密度を上げられることが分かる。
なお、光ファイバの心密度が大きくなりすぎると伝送特性が悪化するため、その上限値は、７心／ｍｍ２程度とすることが好ましい。
【００３１】
なお、比較例の光ファイバケーブル１０１は、連結された光ファイバテープ心線を用いているため、１つの溝内の心数を多くすることができない。また、スロットロッドのスロット溝数を増やすことにより、スロット溝内の光ファイバテープ心線を識別できるようにしているため、スロットロッドがケーブル内の空間に占める割合が大きくなる。このため、スロットロッド１０４がケーブル内の空間を占める割合（スロット占有比率）は３８．５％である。これに対して、実施例１、２は、間欠連結型の光ファイバテープ心線を用いているため、一つのスロット溝内の心数を増やすことができる。また、間欠連結型の光ファイバテープ心線は変形が容易であり、スロット溝の断面積を大きくして詰め込むことも可能である。このため、そのスロット占有比率は、２５．７％にまで小さくすることができる。スロット占有比率が小さい程、光ファイバ心線を高密度実装することができるので、実施例１、２の光ファイバケーブル１の構造は、高密度実装に適しており、上記した心密度とすることができる。
【００３２】
さらに、実施例１、２の光ファイバケーブル１において、スロット溝３内に複数のサブユニット７で光ファイバ心線を実装することにより、サブユニットが無い構成に比べ、個々の光ファイバ心線の識別性を上げることができる。
【符号の説明】
【００３３】
１  光ファイバケーブル
２  光ユニット
３  スロット溝
４  スロットロッド
５  ケーブル外被
６  テンションメンバ
７  サブユニット
８  バンドル材
１０  光ファイバテープ心線
１１Ａ〜１１Ｌ  光ファイバ心線
１２  連結部
１３  非連結部
１０１  光ファイバケーブル
１０２  光ファイバテープ心線
１０３  スロット溝
１０４  スロットロッド
１０５  ケーブル外被
１０６  テンションメンバ
【図１】
2017131118.tif 000003
【図２】
2017131118.tif 000004
【図３】
2017131118.tif 000005
【図４】
2017131118.tif 000006
【国際調査報告】
2017131118.tif 000007
2017131118.tif 000008
2017131118.tif 000009
2017131118.tif 000010